(57)【要約】      （修正有）【課題】低ノイズ特性を有する新規かつ改良されたパルス幅変調電磁システムを得る。【解決手段】ノイズ低減は、ゴム製隔離器及び多数組のＯリングの使用をかいして、したがって金属対金属接触を防止して、隔離器及びマニフォルド・ハウジングからソレノイド機器を分離することによって、主として達成される。追加のノイズ低減は、隔離器、カバー・プレート、スクリーン・キャリヤを用いて、すべてのソレノイドをカプセルに包み込むことによって達成される。ノイズ・レベルは、流体をスリーブの上方領域に漏らすことにより、これにより減衰効果を発生させて、スリーブに対するアーマチュアの衝撃力を最少にすることによって、更に低減される。【選択図】    図２
2005214412.tif 000002
【特許請求の範囲】
【請求項１】
低いノイズ特性を有する電磁弁組立体であって、
第１及び第２の穴が形成されたマニフォルドハウジング部材と、
前記第１の穴に配置された第１の電磁弁部材であって、ソレノイド部分及び弁部分を含む第１の電磁弁部材と、
前記第２の穴に配置された第２の電磁弁部材であって、ソレノイド部分及び弁部分を含む第２の電磁弁部材と、
前記第１及び第２の電磁弁部材の前記ソレノイド部分に近接した絶縁体部材と、
前記絶縁体部材と前記第１の電磁弁部材の前記ソレノイド部分との間に配置された第１の一体の隔離部材であって、前記第１の電磁弁部材の前記ソレノイド部分から前記絶縁体部材までの振動伝播を低減するように動作する第１の隔離部材と、
前記絶縁体部材と前記第２の電磁弁部材の前記ソレノイド部分との間に配置された第２の一体の隔離部材であって、前記第２の電磁弁部材の前記ソレノイド部分から前記絶縁体部材までの振動伝播を低減するように動作する第２の隔離部材と、
前記第１の電磁弁部材の前記弁部分の周りに配置された複数の第１のガスケット部材であって、前記第１の電磁弁部材の前記弁部分から前記マニフォルドハウジング部材までの振動伝播を低減するように動作する第１のガスケット部材と、
前記第２の電磁弁部材の前記弁部分の周りに配置された複数の第２のガスケット部材であって、前記第２の電磁弁部材の前記弁部分から前記マニフォルドハウジング部材までの振動伝播を低減するように動作する第２のガスケット部材と、
を備える電磁弁組立体。
【請求項２】
前記第１及び第２の電磁弁部材の前記ソレノイド部分は、選択的に可動なアーマチュア部材及びスリーブ部材を含み、前記アーマチュア部材は前記スリーブ部材内に少なくとも部分的に受けられ、減衰部分が前記スリーブ部材の表面と前記アーマチュア部材の表面との間に画定され、流体が前記減衰部分に漏れるように動作する、請求項１に記載の発明。
【請求項３】
前記アーマチュア部材が、外面に形成された軸方向溝を画定する少なくとも１つの領域を含む、請求項２に記載の発明。
【請求項４】
前記絶縁体部材に隣接したカバープレート部材を更に備える、請求項１に記載の発明。
【請求項５】
前記マニフォルドハウジング部材に隣接したスクリーン・キャリヤ部材を更に備えた、請求項１に記載の発明。
【請求項６】
前記第１及び第２の電磁弁部材の前記弁部分はそこに配置されたリテーナ部材を含み、前記リテーナ部材は第１及び第２のシート部分を含む、請求項１に記載の発明。
【請求項７】
前記第１及び第２の電磁弁部材の前記弁部分は、前記第１及び第２のシート部分のいずれかに接触するように選択的に動作できるボール部材を含む、請求項６に記載の発明。
【請求項８】
前記第１及び第２の電磁弁部材の前記ソレノイド部分は、前記アーマチュア部材から延びるステム部材を含み、前記ステム部材は前記ボール部材に接触するように選択的に動作できる、請求項７に記載の発明。
【請求項９】
前記第１及び第２電磁弁部材の前記弁部分は、前記ステム部材に隣接したプランジャ部材を含み、前記プランジャ部材は前記ボール部材に接触するように選択的に動作できる、請求項８に記載の発明。
【請求項１０】
前記プランジャ部材は、外面に形成された軸方向波形溝部分を画定する少なくとも１つの領域を含む、請求項９に記載の発明。
【請求項１１】
低いノイズ特性を有する電磁弁組立体であって、
第１及び第２の長手方向伸長穴が形成されたマニフォルドハウジング部材と、
前記第１の穴に配置された第１の電磁弁部材であって、ソレノイド部分及び弁部分を含む第１の電磁弁部材と、
前記第２の穴に配置された第２の電磁弁部材であって、ソレノイド部分及び弁部分を含む第２の電磁弁部材と、
前記第１及び第２の電磁弁部材の前記ソレノイド部分付近にある絶縁体部材と、
前記絶縁体部材と前記第１の電磁弁部材の前記ソレノイド部分との間に配置された第１の一体の弾性変形可能な隔離部材であって、前記第１の電磁弁部材の前記ソレノイド部分から前記絶縁体部材までの振動伝播を低減するように動作する第１の隔離部材と、
前記絶縁体部材と前記第２の電磁弁部材の前記ソレノイド部分との間に配置された第２の一体の弾性変形可能な隔離部材であって、前記第２の電磁弁部材の前記ソレノイド部分から前記絶縁体部材までの振動伝播を低減するように動作する第２の隔離部材と、
前記第１の電磁弁部材の前記弁部分の周りに配置された複数の第１の弾性変形可能なガスケット部材であって、前記第１の電磁弁部材の前記弁部分から前記マニフォルドハウジング部材までの振動伝播を低減するように動作する第１のガスケット部材と、
前記第２の電磁弁部材の前記弁部分の周りに配置された複数の第２の弾性変形可能なガスケット部材であって、前記第２の電磁弁部材の前記弁部分から前記マニフォルドハウジング部材までの振動伝播を低減するように動作する第２のガスケット部材と、
を備える、電磁弁組立体。
【請求項１２】
前記第１及び第２の電磁弁部材の前記ソレノイド部分は、選択的に可動なアーマチュア部材及びスリーブ部材を含み、前記アーマチュア部材は前記スリーブ部材内に少なくとも部分的に受けられ、減衰部分が前記スリーブ部材の表面と前記アーマチュア部材の表面との間に画定され、流体が前記減衰部分に漏れるように動作する、請求項１１に記載の発明。
【請求項１３】
前記アーマチュア部材は、外面に形成された軸方向溝を画定する少なくとも１つの領域を含む、請求項１２に記載の発明。
【請求項１４】
前記絶縁体部材に隣接したカバープレート部材を更に備えた、請求項１１に記載の発明。
【請求項１５】
前記マニフォルドハウジング部材に隣接したスクリーン・キャリヤ部材を更に備えた、請求項１１に記載の発明。
【請求項１６】
前記第１及び第２の電磁弁部材の前記弁部分はそこに配置されたリテーナ部材を含み、前記リテーナ部材は第１及び第２のシート部分を含む、請求項１１に記載の発明。
【請求項１７】
前記第１及び第２の電磁弁部材の前記弁部分は、前記第１及び第２シート部分のいずれかに接触するように選択的に動作できるボール部材を含む、請求項１６に記載の発明。
【請求項１８】
前記第１及び第２の電磁弁部材の前記ソレノイド部分は、前記アーマチュア部材から延びるステム部材を含み、前記ステム部材は前記ボール部材に接触するように選択的に動作できる、請求項１７に記載の発明。
【請求項１９】
前記第１及び第２の電磁弁部材の前記弁部分は、前記ステム部材に隣接したプランジャ部材を含み、前記プランジャ部材は前記ボール部材に接触するように選択的に動作できる、請求項１８に記載の発明。
【請求項２０】
前記プランジャ部材は、外面に形成された軸方向波形溝部分を設定する少なくとも１つの領域を含む、請求項１９に記載の発明。
【発明の詳細な説明】
【技術分野】
【０００１】
本発明は、２００３年１１月２６日付けで出願された米国暫定特許出願第６０／５２５，３５８号について優先権を主張する。その全明細書は、ここに参照として明白に組み入れられる。
【０００２】
本発明は、一般にソレノイドに関し、更に詳しくは低ノイズ特性を有するパルス幅変調ソレノイド・システムに関する。
【背景技術】
【０００３】
ソレノイドは、自動トランスミッション・システム等に使用することを含むがそれに限定されない自動車用途において多数の機能を与えるように用いられてきた。例えば、自動トランスミッションの制御システムは、圧力供給源を管理・調整する弁の使用をかいして通常液圧作動される。この液圧制御は、トランスミッションのギヤー・チェンジを行うように摩擦部材を作動又は不作動にさせる。
【０００４】
最近、自動トランスミッション設計は、種々の流体圧力を制御するために電気的に作動される電磁弁を利用する順応性を有する制御システムを備えている。しかし、最近の電磁弁の設計はそれらの短所を有している。例えば、シフト中に振動伝播された衝撃ノイズが、ソレノイドの作動でガタガタ音が生じることになる。このガタガタ音は、ソレノイドを作動するパルス幅変調（ＰＷＭ）電子駆動信号の結果である。これは、ソレノイドが０から１００％まで又はその逆の負荷サイクルに傾斜するステップ・シフティング条件の下で起こる。発生された振動エネルギは、駆動周波数の数倍高い程度ばかりではなく、励起ＰＷＭ周波数になる。この振動エネルギは、ソレノイドから取付け界面を介してトランスミッションハウジングまで直接に伝播する。過剰ノイズ及び振動レベルの存在は、通常望ましくなく、顧客の不満を潜在的に引き起こす。
【０００５】
この問題を解決する一つの解決策は、共に譲渡された米国特許第５，６５１，３９１号に見出される。その全開示内容が参照としてここに明白に組み入れられ、それは低減されたノイズ特性を有する電磁弁組立体を開示している。更に詳しくは、ゴム製リテーナ及び鋼製リテーナがマニフォルド内に弁を固定し、ゴム製リテーナが縱振動を吸収する。複数のゴム製ガスケットが、弁本体を包囲し、弁の横振動を緩衝するように弁本体とマニフォルドとの間の金属対金属接触を防止する。しかし、この解決策は、対応する隆起部分が各個々のソレノイドの頂部を覆う状態で、ソレノイド組立体の長手の大部分にそって延びる一体ゴム製リテーナを使用する。この解決策は、ソレノイド組立体配置設計が後に変更された場合に、それが容易に修正されない点で、かなり適応不能であるばかりではなく、過剰材料がゴム製リテーナを製造するために用いられなければならない点で、ムダが多い。
【発明の開示】
【発明が解決しようとする課題】
【０００６】
したがって、低ノイズ特性を有する新規かつ改良されたパルス幅変調ソレノイド・システムに対する要請が存在する。
本発明の総括的教示に基づいて、低ノイズ特性を有する新規かつ改良されたパルス幅変調ソレノイド・システムが提供される。
【課題を解決するための手段】
【０００７】
より詳しくは、本発明は、隔離器部材及び少なくとも１つのガスケット部材（例えば、Ｏリング）によってマニフォルドから振動を隔離され、かつゴムに限定されないが弾性変形可能材料から好ましくはなる電磁弁システム（例えば、三方システム）を好ましくは提供する。本発明は、更にソレノイド内に配置されかつ間に減衰部分を形成するようにアーマチュアを実質的に包囲するスリーブ部材（例えば、非磁性材料からなる）を好ましくは提供し、流体（例えば、伝達流体）が減衰部分に漏れるように動作する。更に、アーマチュア部材は、その外面にそって延びる少なくとも１つの軸方向溝を好ましくは設けられている。更に、プランジャ部材は、その外面にそって延びる少なくとも１つの軸方向波形溝部分を好ましくは設けられている。
【０００８】
更に詳しく言えば、本発明は、好ましくは、低減されたノイズ特性を有する電磁弁システムを提供する。本システムは、好ましくは少なくとも１つの、より好ましくは複数の穴を開けられたマニフォルド部材を含む。長手方向に延びる電磁弁部材が穴内に配置される。絶縁体部材が、穴の表面に隣接して好ましくは配置される。隔離部材（例えば、丸いゴム製部材）が絶縁体部材と弁部材との間に（例えば、ソレノイド部分付近に）配置されて、ノイズ低減のために弁部材の振動（例えば、縱振動）を緩衝する。少なくとも１つの、より好ましくは複数のガスケット（例えば、ゴム製Ｏリング）が弁部材の周りに（例えば、弁部材付近に）好ましくは配置され、穴の様々な面（例えば、内面）に関して弁部材を緩衝して、ノイズ低減のために弁部材の振動（例えば、横振動）を緩衝する。
【０００９】
本発明の第１実施例にしたがって、低いノイズ特性を有する電磁弁組立体が提供され、その電磁弁組立体は、（１）第１及び第２の穴が形成されたマニフォルドハウジング部材と、（２）前記第１の穴に配置された第１の電磁弁部材であって、ソレノイド部分及び弁部分を含む第１の電磁弁部材と、（３）前記第２の穴に配置された第２の電磁弁部材であって、ソレノイド部分及び弁部分を含む第２の電磁弁部材と、（４）前記第１及び第２の電磁弁部材の前記ソレノイド部分付近にある絶縁体部材と、（５）前記絶縁体部材と前記第１の電磁弁部材の前記ソレノイド部分との間に配置された第１の一体の隔離部材であって、前記第１の電磁弁部材の前記ソレノイド部分から前記絶縁体部材までの振動伝播を低減するように動作する第１の隔離部材と、（６）前記絶縁体部材と前記第２の電磁弁部材の前記ソレノイド部分との間に配置された第２の一体の隔離部材であって、前記第２の電磁弁部材の前記ソレノイド部分から前記絶縁体部材までの振動伝播を低減するように動作する第２の隔離部材と、（７）前記第１の電磁弁部材の前記弁部分の周りに配置された複数の第１のガスケット部材であって、前記第１の電磁弁部材の前記弁部分から前記マニフォルドハウジング部材までの振動伝播を低減するように動作する第１のガスケット部材と、（８）前記第２の電磁弁部材の前記弁部分の周りに配置された複数の第２のガスケット部材であって、前記第２の電磁弁部材の前記弁部分から前記マニフォルドハウジング部材までの振動伝播を低減するように動作する第２のガスケット部材と、を備えている。
【００１０】
本発明の第２実施例にしたがって、低いノイズ特性を有する電磁弁組立体が提供され、その電磁弁組立体は、（１）第１及び第２の長手方向伸長穴を形成されたマニフォルドハウジング部材と、（２）前記第１の穴に配置された第１の電磁弁部材であって、ソレノイド部分及び弁部分を含む第１の電磁弁部材と、（３）前記第２の穴に配置された第２の電磁弁部材であって、ソレノイド部分及び弁部分を含む第２の電磁弁部材と、（４）前記第１及び第２の電磁弁部材の前記ソレノイド部分付近にある絶縁体部材と、（５）前記絶縁体部材と前記第１の電磁弁部材の前記ソレノイド部分との間に配置された第１の一体の弾性変形可能な隔離部材であって、前記第１の電磁弁部材の前記ソレノイド部分から前記絶縁体部材までの振動伝播を低減するように動作する第１の隔離部材と、（６）前記絶縁体部材と前記第２の電磁弁部材の前記ソレノイド部分との間に配置された第２の一体の弾性変形可能な隔離部材であって、前記第２の電磁弁部材の前記ソレノイド部分から前記絶縁体部材までの振動伝播を低減するように動作する第２の隔離部材と、（７）前記第１の電磁弁部材の前記弁部分の周りに配置された複数の第１の弾性変形可能なガスケット部材であって、前記第１の電磁弁部材の前記弁部分から前記マニフォルドハウジング部材までの振動伝播を低減するように動作する第１のガスケット部材と、（８）前記第２の電磁弁部材の前記弁部分の周りに配置された複数の第２の弾性変形可能なガスケット部材であって、前記第２の電磁弁部材の前記弁部分から前記マニフォルドハウジング部材までの振動伝播を低減するように動作するガスケット部材と、を備えている。
【００１１】
本発明の第３実施例によれば、低減されたノイズ特性を有する電磁弁組立体が提供され、その電磁弁組立体は、（１）少なくとも２つの穴を形成されたマニフォルドハウジング部材と、（２）前記穴に配置された少なくとも２つの電磁弁部材であって、ソレノイド部分及び弁部分を含む電磁弁部材と、（３）前記電磁弁部材の前記ソレノイド部分付近にある絶縁体部材と、（４）各々が前記絶縁体部材と各前記ソレノイド部分との間に配置された少なくとも２つの一体の隔離部材であって、前記ソレノイド部分から前記絶縁体部材までの振動伝播を低減するように動作する隔離部材と、（５）各々が前記弁部分の周りに配置された少なくとも２つのガスケット部材であって、前記弁部分から前記マニフォルド・ハウジング部材までの振動伝播を低減するように動作ガスケット部材と、を備える。
【００１２】
本発明の適用可能な追加の領域は、後述する詳細な記載から明らかになるであろう。本発明の好適実施例を表しているが、詳細な記載及び特別な実例は、説明の目的のために意図されており、本発明の範囲を限定するものではないことを理解されたい。
【００１３】
本発明は、詳細な説明及び添付図面からより十分に理解されるであろう。
【発明を実施するための形態】
【００１４】
好適実施例の以下の説明は、本質的には単なる例示であって、本発明、その用途又は使用を限定するように意図されたものではない。同一参照番号は、種々の図面を通じて同一部品を表している。
【００１５】
全体的に図面を参照して、更に詳しくは図１−４を参照すれば、総体的に１０で表された電磁弁装置が示されている。本発明の好適実施例にしたがって、他の形体の弁装置が本発明の実施と両立しうると考えられるが、装置１０は電磁三方弁システムが好ましい。本発明の高度に好適な実施例に基づいて、装置１０はトランスミッション装置に関連して、特にトランスミッション流体の制御及び／又は送出に関連して用いられるように意図されている。
【００１６】
装置１０は、少なくとも１つ、より好ましくは少なくとも２つ、更に好ましくは複数の穴６が形成されたマニフォルドハウジング１４（例えば、トランスミッションマニフォルド）を好ましくは含むマニフォルド１２を備える。穴の目的は、ここで説明される。マニフォルド・ハウジング１４は、絶縁体部材１８、カバープレート部材２０、カバープレート部材２０をマニフォルドハウジング１４に固定する１又はそれを超える締結部材２２（例えば、ネジ）を好ましくは含む。マニフォルド１２は、限定されないが、位置決めだぼ（ｌｏｃａｔｉｏｎ  ｄｏｗｅｌ）、クラッチ戻り口、ソレノイドボウル（ｂｏｗｌ）排出口、要素口、供給口、圧力切換口等を含む当該技術においては公知のその他の構成要素を好ましくは含むことができる。
【００１７】
本発明の好適実施例によれば、少なくとも１つ、より好ましくは少なくとも２つ、更により好ましくは複数の弁部材が設けられる。弁部材は、ソレノイド部分及びそれと関連して作動する弁部分を好ましくは含む。本発明の好適実施例によれば、弁部材、更に詳しくはその弁部分は、マニフォルド・ハウジング１４の穴１６内に少なくとも部分的に、更により好ましくは実質的に完全に配置される。
【００１８】
特に図２及び３を参照すれば、ソレノイド部分１０２及び弁部分１０４を含む常時作動（ｎｏｒｍａｌｌｙ  ａｐｐｌｉｅｄ）弁部材１００が示されている。そのソレノイド部分１０２は、ソレノイド・ハウジング１０６を好ましくは含むか、ボビン・コイル組立体１０８（ボビン部材１１０及びコイル部材１１２を含む）を包囲することができる。ボビン・コイル組立体１０８は、アーマチュア組立体１１４（選択的に可動なアーマチュア部材１１６及びそこから延びるステム又はピン部材１１８を含む）を好ましくは包囲する。本発明の好適実施例によれば、一旦部分的に組み立てられたとき回転を防止するように、例えば、組立中にボビン部材１１０の位置決めを制御するために、選択的な圧潰乳頭状突起がボビン部材１１０の頂部に組み入れられてもよい。スリーブ部材１２０は、アーマチュア部材１１６を好ましく包囲する。スリーブ部材１２０及びアーマチュア部材１１６は、好ましくは、スリーブ部材１２０の内部で緩衝部分１２２を画定する。磁極片部材１２４は、好ましくは、弁部分１０４付近に設けられ、好ましくは、減衰部分１２２から隔てられかつそれと対峙している。上磁束ワッシャ部材１２６は、好ましくはソレノイドハウジング１０６の頂面付近に設けられる。端子部材１２８は、好ましくはボビン部材１１０から延び、絶縁体部材１８に関連された１又はそれを超える電導部材１３０（例えば、ワイヤ）と導通するのが好ましい。
【００１９】
更に図２及び３において、弁部分１０４は、そこに配置されたリテーナ部材１３４を包囲する弁ハウジング１３２を含む。弁ハウジング１３２の外面には、少なくとも１つ、より好ましくは少なくとも２つ、更により好ましくは少なくとも３つ、最も好ましくは複数の環状溝又は肩部分１３６が設けられるのが好ましい。その目的はここに説明される。リテーナ部材１３４は、好ましくは、上方シート部分１３８及び下方シート部分１４０を含む。弁部分１０４を通してトランスミッション流体の流れを許すか又は許さないように、好ましくは、シート部分１３８、１４０間でそれぞれ選択的に動くことができるボール部材１４２が、シート部分１３８と１４０との間にそれぞれ配置される。本発明の好適実施例によれば、コイル部材１１２が付勢されたとき、アーマチュア部材１１６は磁極片部材１２４に向かって押し付けられて、ステム部材１１８を磁極部材１４２に接触させる。逆に、コイル部材１１２が消勢されたとき、アーマチュア部材１１６が磁極片部材１２４に向かって押し付けられず、したがってボール部材１４２がステム部材１１８を押し上げ、アーマチュア部材１１６を設定位置まで戻す。この一般的方法において、弁部分１０４は、マニフォルド１２を通るトランスミッション流体の流れを制御するように選択的に操作される。
【００２０】
弁部材１００が作動されたとき起こる振動及び／又はノイズの伝播を制御するために、本発明は、弁部材部分１００の様々な位置の周りに配置された少なくとも１つ、より好ましくは少なくとも２つ、更により好ましくは複数の隔離部材１４４及び／又はガスケット部材１４６を提供する。
【００２１】
本発明の好適実施例によれば、隔離部材１４４がスリーブ部材１２０の頂部外面の周りに、すなわち、絶縁体部材１８と上磁束ワッシャ部材１２６との間に配置される。本発明の動作の格別な理論に拘束されずに、隔離部材１４４の意図された目的は、ノイズ低減のために弁部分１０４の振動（例えば、縱振動）を緩衝することである。隔離部材１４４は、限定はされないが、ゴムを含む弾性変形可能な材料から好ましくはなる。
【００２２】
本発明の好適実施例によれば、少なくとも１つ、より好ましくは少なくとも２つ、更により好ましくは少なくとも３つ、最も好ましくは複数のガスケット部材１４６（例えば、Ｏリング）が、弁ハウジング１３２の外面の周りに配置される。好ましくは、ガスケット部材１４６は、環状溝及び／又は肩部分１３６に受けられ、好ましくは穴１６の内面（すなわち、マニフォルド・ハウジング１４）に当接する。本発明の動作の格別な理論に拘束されずに、ガスケット部材１４６の意図された目的は、ノイズ低減のために弁部分１０４の振動（例えば、横振動）を緩衝することである。ガスケット部材１４６は、限定はされないが、好ましくはゴムを含む弾性変形可能な材料からなる。
【００２３】
特に図２及び４において、ソレノイド部分２０２及び弁部分２０４を含む常時排出（ｎｏｒｍａｌ  ｖｅｎｔｅｄ）常時排出弁部材２００が示されている。常時排出弁部材２００は、常時作動弁部材１００にいくぶん類似しているが、ここで説明されるように、いくつかの顕著な相違点を有している。しかし、ソレノイド部分２０２は、両実施例においては実質的に同一である。
【００２４】
更に図２及び４において、弁部分２０４は、そこに配置されたリテーナ部材２０８を包囲する弁ハウジング２０６を含む。弁ハウジング２０６の外面には、少なくとも１つ、より好ましくは少なくとも２つ、更により好ましくは少なくとも３つ、最も好ましくは複数の環状溝又は肩部分２１０が設けられている。その目的はここで説明される。リテーナ部材２０８は、好ましくは、上シート部分２１２、中間シート部分２１４、下シート部分２１６を含む。好ましくは、各シート部分間で選択的に動くように動作するボール部材２１８が、中間シート部分２１４と下シート部分２１６との間に配置されて、弁部分２０４を通るトランスミッション流体の流れを許すか又は許さない。本発明の好適実施例によれば、ボール部材２１８の移動を最適化するため、リテーナ部材２０８におけるボール部材２１８の過剰移動が最少にされ、したがって、急速運転中に迅速かつ着実に密封することを助ける。本発明の好適実施例によれば、弁部分２０４の高さ及びサイズは、２面付き（２−ｓｉｄｅｄ）打抜きワッシャ・シート部材２２０によって減少され、右側上がり又はその逆さまに装着される。
【００２５】
ステム部材２２４（例えば、アーマチュア部材２２６の）及びボール部材２１８と関連して選択的に動作するプランジャ部材２２２が、好ましくは設けられる。プランジャ部材２２２は、好ましくは、上シート部分２１２に係合するように動作できる。本発明の好適実施例に基づいて、コイル部材２２８が付勢されたとき、アーマチュア部材２２６が磁極片部材２３０に向かって押し付けられて、ステム部材２２４及びより詳しくはプランジャ部材２２２をボール部材２１８に接触させる。逆に、コイル部材２２８が消勢されたとき、アーマチュア部材２２６がポール片部材２３０に向かって押し付けられず、したがってボール部材２１８がプランジャ部材２２２及びより詳しくはステム部材２２４を押し上げ、次いでアーマチュア部材２２６を設定位置に戻すようにする。この一般的方法において、弁部分２０４はマニフォルド１２を通るトランスミッション流体の流を制御するように選択的に操作される。
【００２６】
弁部材２００が作動されたとき起こる振動及び／又はノイズの伝播を制御するために、本発明は、弁部材部分２００の様々な位置の周りに配置された少なくとも１つ、より好ましくは少なくとも２つ、更により好ましくは複数の隔離部材２３２及び／又はガスケット部材２３４を提供する。
【００２７】
本発明の好適実施例によれば、隔離器部材２３２がスリーブ部材２３６の頂部外面の周りに、すなわち、絶縁体部材２３８と上磁束ワッシャ部材２４０との間に配置される。本発明の動作の格別な理論に拘束されずに、隔離部材２３２の意図された目的は、ノイズ低減のために弁部分２０４の振動（例えば、縱振動）を緩衝することである。隔離器部材２３２は、限定はされないが、ゴムを含む弾性変形可能な材料から好ましくはなる。隔離器部材２３２が開放した中間部分を有するほぼ丸い部材であるように示されているが、任意の数の適切な設計が本発明の実施において用いられうることを理解されたい。本設計は、発生する振動を緩衝するために、スリーブ部材２３６の上方部分を少なくとも部分的に包囲する要請により、一部選択された。
【００２８】
本発明の好適実施例にによれば、少なくとも１つ、より好ましくは少なくとも２つ、更により好ましくは少なくとも３つ、最も好ましくは複数のガスケット部材２３４（例えば、Ｏリング）が、弁ハウジング２０２の外面の周りに配置される。好ましくは、ガスケット部材２３４は、環状溝及び／又は肩部分２１２に受けられ、好ましくは穴１６の内面（すなわち、マニフォルド・ハウジング１４）に当接する。本発明の動作の格別な理論に拘束されずに、ガスケット部材２３４の意図された目的は、ノイズ低減のために弁部分２０４の振動（例えば、横振動）を緩衝することである。ガスケット部材２３４は、限定はされないが、好ましくはゴムを含む弾性変形可能な材料からなる。ガスケット部材２３４が開放した中間部分を有するほぼ丸い部材であるように示されているが、任意の数の適切な設計が本発明の実施において用いられうることを理解されたい。本設計は、発生する振動を緩衝するために、弁部分２０４の様々な部分を少なくとも部分的に囲む要請のために、一部選択された。
【００２９】
図示するように、隔離部材１４４、２３２は、好ましくは、一方の隔離部材１４４が常時作動弁部材１００のために設けられ、また、全く別の隔離部材２３２が常時排出弁部材２００のために設けられる点で、それぞれ好ましくは単一の部材である。このように、各弁部材は、その設計又はマニフォルドの位置にかかわらず、個々の隔離部材が設けられ、したがって、多数の弁部材の位置に対応するように注意深く配置されなければならないと言う大きい複雑な隔離部材の設計に対する要請を未然に防ぐ。
【００３０】
特に図５Ａ及び５Ｂにおいて、本発明の第１の代替え実施例によれば、アーマチュア部材３００の変更設計が示されている。それぞれのスリーブ部材内において流体（例えば、トランスミッション流体）を介して移動するアーマチュア部材３００の最適性能を達成するために、少なくとも１つ、より好ましくは少なくとも２つ、最も好ましくは複数の慣用溝又はスロット３０２によりアーマチュア部材３００の外面に組み込まれた。本発明の動作の格別な理論に拘束されずに、溝３０２により低温運転条件の下で改善された応答及び性能が改善されることが信じられる。
【００３１】
特に図６Ａ及び６Ｂにおいて、本発明の第２代替え実施例に基づいて、プランジャ部材４００の変更設計が示されている。電磁弁のサイズを最小にするために、案内及び改善された寿命のために上方シートの穴との接触面積を最大にしかつスカラップ溝４０２を通る流れ領域を最大にしながら、非常に低い輪郭高さを各弁部分に与えるために、外面に組み込まれたスカラップ溝４０２を有する多数の縦溝付き（例えば、三つの縦溝付き又は波形面）がプランジャ４００に提供される。
【００３２】
本発明の弁部分の高さを更に最小にするために、それぞれの低いガスケット部材がその下側から加えられた流体圧力によってのみ保持される。スクリーン・キャリヤ部材５００が、それぞれの低いガスケット部材に対してバックアップ保持方法として作用する。
【００３３】
各絶縁体部材に作用する液体力を最少にするために、各リテーナ部材に配置された各弁部分の入口ノズル６００が最小化された。更に、各リテーナ部材に加えられたそれぞれの低いガスケット部材は、加えられる力を最小化することを意図している。他の２つの各ガスケット部材は、穴への各ガスケット部材の適正な挿入を許しながら、弁部材が適用されるとき、上向きのを最小にするために、各低ガスケット部材に関して２分の１巻きだけ好ましくはずらされる。更に、液体入口ノズル６００は最小化された高さに対して各弁部分の直接下に好ましくは配置される。
【００３４】
本発明は、線形に近い繰返し可能移送機能をもった高流れ、高圧機器に対して設計された。これは、一部では、スリーブ部材内のアーマチュア部材の過剰移動を制御することばかりではなく、各シート及びその他すべてのオリフィスのサイズを最適化することによってなされる。非限定的な、常時作動弁部材の移送機能は、５０％の負荷サイクルのレベルで高圧に耐えるように特に設計された。
【００３５】
本発明の記載は本質的には単なる例示であって、本発明の要旨から逸脱しない変更が、本発明の範囲内にあるように意図されている。このような変更は、本発明の精神及び範囲からの逸脱としてみなされるべきではない。
【図面の簡単な説明】
【００３６】
【図１】本発明の総括的教示に基づく電磁弁システムの斜視図である。
【図２】本発明の総括的教示に基づく図１に示す電磁弁システムの２−２線から見た部分断面図である。
【図３】本発明の総括的教示に基づく常態適用弁部材の一部破断斜視図である。
【図４】本発明の総括的教示に基づく常態漏出弁部材の一部破断斜視図である。
【図５Ａ】本発明の第１変更実施例に基づくアーマチュア部材の部分断面図である。
【図５Ｂ】本発明の第１変更実施例に基づく図５Ａに示すアーマチュア部材の５−５線から見た部分断面図である。
【図６Ａ】本発明の第２変更実施例に基づくプランジャ部材の部分断面図である。
【図６Ｂ】本発明の第２変更実施例に基づく図６Ａに示すプランジャ部材の６−６線から見た部分断面図である。
【図１】
2005214412.tif 000003
【図２】
2005214412.tif 000004
【図３】
2005214412.tif 000005
【図４】
2005214412.tif 000006
【図５Ａ】
2005214412.tif 000007
【図５Ｂ】
2005214412.tif 000008
【図６Ａ】
2005214412.tif 000009
【図６Ｂ】
2005214412.tif 000010
【外国語明細書】
2005214412000001.pdf